(57)【要約】      （修正有）【課題】随時持ち運んで、手振りを防いでスイングを矯正する練習を行うことができるゴルフ練習具およびそのセットを提供する。【解決手段】ゴルフ練習具１は、一対の棒２，２が連結部材としての突起３，４により着脱可能に連結され、連結された長さがゴルフクラブのグリップ部の長さに相当するので、随時持ち運ぶことができる。また、棒２，２を着脱可能に連結するので、手首に力が入った状態で練習すると、棒２，２の連結が解除され、ゴルフクラブあるいはこれに相当するものがなくても単独で機能して、手振りを防いでスイングを矯正する練習を行うことができる。ゴルフ練習具セットは、ゴルフ練習具１を備える。【選択図】図１
2013158474.tif 000002
【特許請求の範囲】
【請求項１】
複数のグリップ用の棒と、これらを着脱可能に連結する連結部材とを有し、前記棒が前記連結部材により連結された長さがゴルフクラブのグリップ部に相当することを特徴とするゴルフ練習具。
【請求項２】
一対の前記棒から構成される請求項１に記載のゴルフ練習具。
【請求項３】
連結力が異なる複数の前記連結部材を備える請求項１または２に記載のゴルフ練習具。
【請求項４】
両端に孔が形成された一対のグリップ用の棒と、前記孔に挿入することにより前記棒を着脱可能に連結する突起とを有し、前記棒が前記突起により連結された長さがゴルフクラブのグリップ部に相当することを特徴とするゴルフ練習具。
【請求項５】
長さおよび表面粗さの少なくともいずれかが異なる複数の前記突起を備える請求項４に記載のゴルフ練習具。
【請求項６】
前記突起は、前記棒に着脱可能に取り付けられる請求項４または５に記載のゴルフ練習具。
【請求項７】
前記孔は、前記棒の一端と他端とで異なる深さおよび粗さの少なくともいずれかに形成される請求項４から６のいずれかに記載のゴルフ練習具。
【請求項８】
前記突起は傾斜が形成される請求項４から７のいずれかに記載のゴルフ練習具。
【請求項９】
前記突起を挿通し、この突起とともに前記棒を連結する磁石を有する請求項４から８のいずれかに記載のゴルフ練習具。
【請求項１０】
重さが異なる複数の請求項１から９のいずれかに記載のゴルフ練習具を備えることを特徴とするゴルフ練習具セット。
【発明の詳細な説明】
【技術分野】
【０００１】
本発明は、ゴルフスイングの練習に適したゴルフ練習具に関する。
【背景技術】
【０００２】
木製のゴルフクラブでは、スイング時に手首を捻った上で球を打たないと飛距離が出ない。これに対し、現在主流となっている金属製のゴルフクラブでは、スイング時にはゴルフクラブの重みによる慣性モーメントにしたがった体の動きにより腕を動かせばよい。そのため、手首を動かす（以下「手振り」とも称す。）と、空振りしたり、球が不本意な方向に飛んで行ったり、飛距離が伸びなかったりして良いショットが得られないことが多い。また、体を使わずに手の力のみに頼って打つことになるため、仮に良いショットが得られても体調に左右されて再現性を得にくい。
【０００３】
このことは、ハーフスイング時のみならず、アプローチや、いわゆるライン出しと呼ばれるコントロールショットを含む、手首の力を使う必要がない他のショットでも同様である。さらに、フルスイング時であっても、トップ位置までゴルフクラブを上げる際には手首の力を使うけれども、その後は振り下ろすだけなので同様である。つまり、手振りは、良好なショットを実現するには、全てのゴルフスイングで共通して防ぐことが望まれる。そのため、手振りを防いでスイングを矯正するゴルフ練習具が種々提案されている（例えば特許文献１〜５参照）。
【先行技術文献】
【特許文献】
【０００４】
【特許文献１】特開平１０−７６０３７号公報
【特許文献２】特開２００８−６１９６３号公報
【特許文献３】特表２００８−５４１８４５号公報
【特許文献４】特開２００９−２９７４９５号公報
【特許文献５】特開２０１０−１７８９４３号公報
【発明の開示】
【発明が解決しようとする課題】
【０００５】
しかしながら、特許文献１〜５に記載のゴルフ練習具は、大掛かりであったり長すぎたりして持ち運びができなかったり、それ自体は持ち運びができてもゴルフクラブあるいはこれに相当するものに付けないと使えなかったりするので、随時持ち運んで練習に供することができなかった。
【０００６】
本発明の目的は、随時持ち運んで、手振りを防いでスイングを矯正する練習を行うことができるゴルフ練習具およびそのセットを提供することにある。
【課題を解決するための手段】
【０００７】
＜１＞  複数のグリップ用の棒と、これらを着脱可能に連結する連結部材とを有し、前記棒が前記連結部材により連結された長さがゴルフクラブのグリップ部に相当することを特徴とするゴルフ練習具である。
【０００８】
＜２＞  一対の前記棒から構成される＜１＞に記載のゴルフ練習具である。
【０００９】
＜３＞  連結力が異なる複数の前記連結部材を備える＜１＞または＜２＞に記載のゴルフ練習具である。
【００１０】
＜４＞  両端に孔が形成された一対のグリップ用の棒と、前記孔に挿入することにより前記棒を着脱可能に連結する突起とを有し、前記棒が前記突起により連結された長さがゴルフクラブのグリップ部に相当することを特徴とするゴルフ練習具である。
【００１１】
＜５＞  長さの異なる複数の前記突起を備える＜４＞に記載のゴルフ練習具である。
【００１２】
＜６＞  表面粗さの異なる複数の前記突起を備える＜４＞または＜５＞に記載のゴルフ練習具である。
【００１３】
＜７＞  前記突起は、前記棒に着脱可能に取り付けられる＜４＞から＜６＞のいずれかに記載のゴルフ練習具である。
【００１４】
＜８＞  前記孔は、前記棒の一端と他端とで異なる深さに形成される＜４＞から＜７＞のいずれかに記載のゴルフ練習具である。
【００１５】
＜９＞  前記孔は、前記棒の一端と他端とで異なる粗さに形成される＜４＞から＜８＞のいずれかに記載のゴルフ練習具である。
【００１６】
＜１０＞  前記突起を挿通し、この突起とともに前記棒を連結する磁石を有する＜４＞から＜９＞のいずれかに記載のゴルフ練習具である。
【００１７】
＜１１＞  前記突起は傾斜が形成される＜４＞から＜１０＞のいずれかに記載のゴルフ練習具である。
【００１８】
＜１２＞  前記棒は、前記突起の長短の目安となる印が周方向に沿って付される＜１１＞に記載のゴルフ練習具である。
【００１９】
＜１３＞  重さが異なる複数の＜１＞から＜１２＞のいずれかに記載のゴルフ練習具を備えることを特徴とするゴルフ練習具セットである。
【発明の効果】
【００２０】
本発明のゴルフ練習具によれば、棒が連結された長さがゴルフクラブのグリップ部に相当するので、随時持ち運ぶことができる。また、棒を着脱可能に連結するので、手首に力が入った状態で練習すると、棒の連結が解除される。これにより、ゴルフクラブあるいはこれに相当するものがなくても単独で機能して、手振りを防いでスイングを矯正する練習を行うことができる。
【００２１】
本発明のゴルフ練習具セットによれば、本発明のゴルフ練習具を備えるので、随時持ち運んで、手振りを防いでスイングを矯正する練習を行うことができる。
【図面の簡単な説明】
【００２２】
【図１】図１（ａ）は本発明における第１の形態のゴルフ練習具の側面図であり、図１（ｂ）はそのＩ−Ｉの矢印方向から視た図である。
【図２】図２は、グリップ用の棒の側面図である。
【図３】図３（ａ）、（ｂ）は、棒の向きを変えて連結した本発明のゴルフ練習具の側面図である。
【図４】図４（ａ）〜（ｃ）は、各突起の拡大側面図である。
【図５】図５（ａ）、（ｂ）は、互いに突起挿入孔の深さを変えた棒の側面図である。
【図６】図６（ａ）、（ｂ）は表面に刻みを形成した突起の、図６（ｃ）〜（ｅ）は突起挿入孔の内面の、それぞれ一例を示す図である。
【図７】図７は、本発明における第２の形態のゴルフ練習具の要部斜視図である。
【図８】図８は、第２の形態の各突起の側面図である。
【図９】図９は、本発明における第３の形態のゴルフ練習具の側面図である。
【図１０】図１０は、本発明における第４の形態のゴルフ練習具の側面図である。
【図１１】図１１は、本発明における第５の形態のゴルフ練習具の側面図である。
【発明を実施するための形態】
【００２３】
本発明の各実施の形態を、図面を参照しながら詳細に説明する。なお、各実施の形態を説明するための全図において同一機能を有するものは原則として同一の符号を付すようにし、その繰り返しの説明は可能な限り省略するようにしている。
【００２４】
〔第１の形態〕
図１（ａ）は本発明における第１の形態のゴルフ練習具の側面図、図１（ｂ）はそのＩ−Ｉの矢印方向から視た図、図２はグリップ用の棒の側面図、図３（ａ）、（ｂ）は棒の向きを変えて連結した本発明のゴルフ練習具の側面図、図４（ａ）〜（ｃ）は各突起の拡大側面図である。また、図５（ａ）、（ｂ）は互いに突起挿入孔の深さを変えた棒の側面図であり、図６（ａ）、（ｂ）は表面に刻みを形成した突起の、図６（ｃ）〜（ｅ）は突起挿入孔の内面の、それぞれ一例を示す図である。
【００２５】
図１（ａ）、（ｂ）に示すように、本発明の第１の形態のゴルフ練習具１は、一対の棒２，２と、連結部材としての突起３，４および磁石５とから構成されている。
【００２６】
一対の棒２，２は、同じ長さで同一形状の柱状に形成され、それぞれ、左手または右手で把持するためのグリップ用の棒として機能する。この棒２，２は、突起３，４および磁石５により長手方向に着脱可能に連結され、双方を交換して使用することができるようになっている。そして、連結された際の長さＤが、ゴルフクラブのグリップ部に相当するように形成されている。ここで、ゴルフクラブのグリップ部に相当する長さとは、市販のゴルフグリップの長さに合わせて形成すればよいことを意味し、通常２０〜３０ｃｍ程度であり、２５ｃｍ前後が好ましい。なお、図１（ａ）において、長さＤには、棒２，２の合計長さのみならず、２つの磁石５，５の厚さが含まれているが、その厚さは通常１ｃｍ未満であり、棒２の長さからすれば僅かであるから、厳密に考慮する必要はない。つまり、棒２，２の合計長さが、１ｃｍ程度の長短はあっても、概ねゴルフクラブのグリップ部の長さに相当していればよい。
【００２７】
棒２の太さは、使用者の性別、手の大きさに合わせて適宜選択して調製すればよく、例えば、市販のゴルフグリップでは、５６、５８、６０、６２といったものが男性用（Ｍ）と女性用（Ｌ）とで、それぞれあるので、これに合わせてもよい。
【００２８】
また、特に図２に示すように、棒２は、長手方向両端の中央部に、突起３，４の形状に対応して形成され、突起３，４がそれぞれ挿入される突起挿入孔６，７が設けられている。この突起挿入孔６，７は、両者で孔の深さが異なるように形成されている。具体的には、突起挿入孔６の方が突起挿入孔７より深く形成されている。
【００２９】
突起３，４は、棒２に着脱可能に取り付けられており、幅は同一であるが、突起３の方が突起４より長く形成されている。図１の例では、短い方の突起４が突起挿入孔６，７に挿入されて棒２，２が連結されている。なお、突起３，４および突起挿入孔６，７は、角部が、双方の接触により突起挿入孔６，７が使用を繰り返すうちに擦れて外れやすくなる事態を防ぐ観点から、円弧状に形成されている。
【００３０】
磁石５は、棒２の長手方向両端に取り付けられており、棒２，２が直接接触することで、使用を重ねるにしたがい、摩擦で突起３，４による連結が緩むのを防ぐために、補助的に備えられた連結部材であり、突起３，４を挿通する突起挿通孔５ａが形成されている。磁石５としては、通常は永久磁石を使用する。磁石５の厚さは、通常１ｃｍ未満であり、コスト、使用感、意匠性等の観点から、棒２,２間の摩擦を防止できれば、薄いほど好ましい。なお、磁石５は、接着剤等により棒２に付ければよいが、棒２が磁性体であれば磁力により付けてもよい。また、棒２の内部に埋め込むようにしてもよい。
【００３１】
そして、図１の例では、突起挿入孔６，７それぞれの深さと、２つの磁石５，５の突起挿通孔５ａ，５ａの深さとの合計が、短い方の突起４の長さと概ね一致するように形成されている。なお、棒２の角部は、隙間が生ずることにより指を挟まないようにするために、円弧状に切り欠かないように形成されている。同様の観点から、棒２，２間に挟む磁石５は、棒２と同一径になるように形成されている。
【００３２】
ゴルフ練習具１は、特にハーフスイング、アプローチ等の手首の力を使う必要がなく、相対的にスイング力が弱いゴルフスイングを練習する際に使用される。これらのスイング練習時に、手首に力が入っていると、図１においてｓをスイング方向とした場合、利き手でない方の手で握っている棒２はｓ方向にのみ力が加わるのに対し、利き手で握っている棒２はｓ方向とは径方向に逆の方向である例えばｔ方向やｔ’方向にも力が加わる。そのため、手首に力が入った状態で練習すると、突起４がいずれか（通常は利き手で握った側、つまり図１（ａ）の例では右側）の棒２の突起挿入孔７から外れて連結が解除されてしまう。また、手首に入る力が一回のスイングで連結が解除されるほど強くなくても、手首に力が入った状態であると、突起４による棒２，２間の連結は緩くなり、連結が緩んだ状態で同様なスイングを続ければ、結果として突起４が棒２の突起挿入孔７から外れて連結が解除されてしまう。さらに、無理にスイングを続けなくても、手首に力が入っていて棒２，２間の連結が緩むのであれば、連結の解除を防ぐために、緩くなる度に連結を当初状態に修正したり、手首に力が入らないようにスイングを矯正せざるを得なくなる。つまり、突起４が棒２から外れたり、棒２，２間の連結が頻繁に緩くなるようだと手首に力が入っており正しいスイングをしていないことがわかり、突起４が外れないように手振りを防いでスイングを矯正することができる。
【００３３】
また、従来のスイングを矯正するゴルフ練習具であれば、手振りのクセが残っていても練習を続けられたが、ゴルフ練習具１では、手振りのクセがあると棒２，２の連結が解除されて練習ができなくなるので、より完全に手振りのクセを防ぐことができるという利点がある。なお、ゴルフのプレイに際しては、スイング前後で手首を使う場合も想定されるので、棒２の連結が解除されたり緩んだりすることを、手首を使うクセの解消の指標とすればよく、常に棒２の連結が維持されるように練習するということではないのは言うまでもない。
【００３４】
また、ゴルフ練習具１は、長手方向のどちら側を向けて練習してもよい。つまり、図１（ａ）の例で逆の長手方向を向けて練習する場合は、突起４は深い方の突起挿入孔６に挿入されるので、突起４が利き手で握った側の棒２から外れにくくなり、より簡単な練習をすることができる。
【００３５】
棒２は、突起挿入孔６，７で深さが異なるので、例えば図３（ａ）に示すように、一方の棒２の向きを反対にして長い方の突起３を双方の棒２，２の深い方の突起挿入孔６，６に挿入するようにしてもよい。図３（ａ）の例では、双方の突起挿入孔６，６の深さと、２つの磁石５，５の突起挿通孔５ａ，５ａの距離との合計が、長い方の突起３の長さと概ね一致するように形成されている。
【００３６】
また、突起３，４は着脱可能なので、例えば図３（ｂ）に示すように、図３（ａ）のような棒２，２の向きのまま突起３，４の取付位置のみを交換して、突起挿入孔７に隙間を空けた状態としてもよい。
【００３７】
図３（ａ）に示すように、長い方の突起３により棒２，２を連結した場合には、手振りのクセが強く、図１に示したように短い突起４で連結した場合ではすぐに外れてしまう使用者が、より簡単な練習を行うことができる。また、フルスイングのように、振り下ろす動作については手首の力を使う必要がないが、スイングとしては強い力を伴うために、手振りが生じやすくなるゴルフスイングに適用することができる。なお、このことは、図１（ａ）の状態において、上述したようにゴルフ練習具１を逆の方向に向けた場合も同様である。
【００３８】
一方、図３（ｂ）に示すように、深い方の突起挿入孔６，６間に短い方の突起４を挿入して隙間ｃを空けた状態とした場合には、図３（ａ）の状態はもとより、図１（ａ）で示したように突起挿入孔７に隙間を空けずに突起４を挿入した場合よりも、棒２との接触箇所が少ないため突起４が外れやすくなる。そのため、図１に示した状態での練習において突起４が外れないようになったら、さらに確実に手振りを防ぐための練習をすることができる。
【００３９】
つまり、ゴルフ練習具１は、突起３，４の長さ、突起挿入孔６，７の深さ双方を変えるとともに、突起３，４を棒２から着脱可能としたため、上達度や目的に応じて、難易度の異なる多段階な練習を行える。また、実際のゴルフクラブのスイング時に、グリップ部を強く握ると、ゴルフクラブの重さを利用した慣性モーメントにしたがってスムーズに打つことができず、結果として手振りをしてしまうことが多くなる傾向があるが、多段階の練習を行うことで、このグリップ部を強く握るクセの解消を併せて図ることもできる。つまり、長い方の突起３を深い方の突起挿入孔６に挿入して練習する際には、棒２，２を強く握ってでも両者の連結が解除されないよう練習することにより、まずは強い手振りのクセを防ぐことができる。そして、短い方の突起４の挿入を、浅い方の突起挿入孔７、深い方の突起挿入孔６と変更するに連れて、棒２，２を強く握ることによる手首のブレだけで連結が解除されやすくなるため、棒２，２の連結が解除されないように練習することにより、グリップ部を強く握るクセの解消を図ることができる。なお、突起３，４は、着脱可能としたことで、使用を繰り返すことによる摩擦で、棒２から外れやすくなった場合に交換できるという利点もある。
【００４０】
また、例えば図４（ａ）〜（ｃ）に示すように、突起は、既に説明した突起３，４（図４（ａ）、（ｂ）をそれぞれ参照）の他、突起４よりもさらに短い突起８を準備することが好ましい。これにより、より多段階な練習を行うことができる。なお、図４の例では、突起の長さを三段階としているが、さらに多段階の突起を準備してもよい。
【００４１】
さらに、例えば図５（ｂ）に示すように、棒の一方を突起挿入孔の深さを変えた棒９とし、棒２の突起挿入孔６，７よりもそれぞれ深い突起挿入孔１０，１１を形成してもよい。この場合は、突起の長さを変えなくても、突起を挿入する突起挿入孔の深さを変えることにより、多段階な練習を行うことができる。なお、図５（ａ）では、図５（ｂ）の棒９との比較のため、棒２を示している。
【００４２】
さらに、例えば図６（ａ）、（ｂ）に示すように、突起３，４の表面に、それぞれ斜方に刻み３ａ，４ａを形成するとともに、刻み４ａのピッチを刻み３ａよりも広くすることで、粗さを変更して突起挿入孔からの抜けやすさに差異を生じさせ、多段階な練習を可能としてもよい。この場合は、図示したように突起３，４の長さは同じであってもよい。なお、刻み３ａ，４ａは径方向に沿って形成してもよいし、長手方向に沿って形成してもよく、さらには、ピッチを不規則に形成したり、ジグザグ状に形成する等、通常刻みを形成する際に想定され得るどのようなパターンに形成してもよい。ただし、多段階な練習を行えるようにするという本発明の目的と、刻みの形成の容易さを考慮すれば、図示したように斜方に規則的に形成することが好ましい。また、表面の粗さは、突起３，４で材質を異ならせることにより変更してもよい。
【００４３】
一方、図６（ｃ）に示すように、突起挿入孔６，７の内面は平滑に形成するが、例えば図６（ｄ）、（ｅ）に示すように、突起挿入孔６，７の内面に、図６（ａ）、（ｂ）に示した突起３，４の刻み３ａ，４ａと同様な刻み６ａ，７ａを形成し、突起の抜けやすさに差異を生じさせ、多段階な練習を可能としてもよい。この場合は、突起挿入孔６，７の深さは同じであってもよい。
【００４４】
ゴルフ練習具１は、重い方が慣性モーメントにしたがって打ちやすくなるため、手振りを防止しやすい観点から好ましい。そして、徐々に手振りをしないようになってきたならば、実際のゴルフクラブによりスイングした際に適応しやすくするために、一般的なゴルフクラブと同程度の重さ、具体的には３００ｇ程度のもの、あるいはさらに軽いものを用いることが好ましい。そのため、目的に応じた使用を可能とするために、重さが異なるものを複数本備えたゴルフ練習具セットとすることが好適である。
【００４５】
ゴルフ練習具セットとした場合に、ゴルフ練習具１の重さを変えるには、棒２の材料や材質を変えればよく、例えば、一方は金属製で他方はゴム製にしたり、一方は金属製で他方は木製にしたり、さらには同じ金属製やゴム製であっても重い材質のものと軽い材質のものとを用意すればよい。
【００４６】
なお、棒２は、実際のゴルフクラブのグリップ部が金属製やゴム製であることからすると、これらと同様な材料を用いることが好ましい。
【００４７】
また、磁石５の材料を変えたり、磁石５の取付枚数を増やしたりして、ゴルフ練習具１の重さを調整してもよい。
【００４８】
〔第２の形態〕
図７は本発明における第２の形態のゴルフ練習具の要部斜視図であり、図８は第２の形態の各突起の側面図である。図７に示すように、第２の形態のゴルフ練習具２０は、突起２１に、先端側（他方の棒の突起挿入孔への挿入側）から切り欠いて傾斜２２が形成されている。これにより、棒２のグリップ位置を周方向に沿って変えて行けば、長さの異なる突起を準備しなくても、同じ突起２１により段階的な練習ができる。また、長さの異なる突起を準備すれば、さらに多段階の練習ができる。
【００４９】
さらに、ゴルフ練習具２０は、棒２の長手方向先端の近傍に、周方向に沿って所定間隔で目印２３が付されている。これにより、目印２３の位置に合わせて棒２を握れば、突起２１の所望の長さの位置で練習できるので、練習の難易度を変える際に、その都度、突起２１を棒２から外して、所望の長さの位置に合わせてから再度連結する作業を省略することができる。
【００５０】
また、突起の傾斜２２は、図８（ａ）に示す突起２４のように、径方向両端から中央に向かって隆起するように形成してもよいし、図８（ｂ）に示す突起２５のように、そのような傾斜２２を長手方向両端に形成してもよい。さらに、図８（ｃ）に示す突起２６のように、突起２１と同様な一方向のみへの傾斜２２を、長手方向の両端に平行に形成してもよいし、図８（ｄ）に示す突起２７のように、長手方向の両端に、側面視で台形状になるように逆方向に形成してもよい。さらに、図８（ｂ）〜（ｄ）に示した両側に傾斜２２を形成した突起２５，２６，２７では、双方の傾斜２２，２２を周方向に沿って互いにずらして形成してもよい。中央に隆起する傾斜２２を形成した突起２４，２５は、第１の形態のゴルフ練習具１において用いる、傾斜がない突起３からレベルアップを図る際に特に有効に活用できる。また、一方向のみへの傾斜を長手方向両端に形成した突起２６，２７では、一種類の突起で、より多段階な練習をすることができる。なお、突起挿入孔の形状も、突起の形状に合わせて変更してもよい。
【００５１】
〔第３の形態〕
図９は、本発明における第３の形態のゴルフ練習具の側面図である。図９に示すように、第３の形態のゴルフ練習具３０は、ゴルフ規則中の付属規則IIに規定される本来のゴルフクラブのグリップ部の形状に模して、若干先細りに形成されている。具体的には、先端側の棒３１が基端側の棒３２よりも傾斜状に細く形成されている。このゴルフ練習具３０では、棒３１，３２で太さが異なり、交換することはできないため、棒３１の基端側と棒３２の先端側とにのみ、突起（図９の例では突起４）により両者を連結するための同じ深さに形成された突起挿入孔３３，３４が、それぞれ形成されている。
【００５２】
なお、本形態以外のゴルフ練習具においても、突起挿入孔は同じ深さにしてもよい。また、連結可能であれば互いに異なる長さや形状であってもよい。ただし、ゴルフスイングを矯正するという本発明の目的からすると、偏ったスイングのクセが付くことは好ましくないため、通常はその目的の範囲で互いの長さや形状が限定される。
【００５３】
この他、各形態のゴルフ練習具は、上述の付属規則IIにしたがった範囲で、リブを設けたり、らせん状の窪みを形成してもよい。
【００５４】
〔第４の形態〕
図１０は、本発明における第４の形態の側面図である。図１０に示すように、第４の形態のゴルフ練習具４０は、連結部材として突起３，４のみを備え、磁石を備えないこと以外は、第１の形態のゴルフ練習具１と同様の構成となっている。
【００５５】
〔第５の形態〕
図１１は、本発明における第５の形態の側面図である。図１１に示すように、第５の形態のゴルフ練習具５０は、連結部材として磁石５のみを備え、突起を備えず、かつ磁石５に突起挿通孔を形成しないこと以外は、第１の形態のゴルフ練習具１と同様の構成となっている。この形態では、磁気の異なる複数の磁石を準備しておき、上達度に応じて次第に磁気の弱い磁石に変更できるようにしておくことが好ましい。
【００５６】
なお、第１〜３の形態のゴルフ練習具においても、突起を用いた練習で棒の連結が解除されない程度に上達した場合に、磁石５のみにより棒を連結し、さらに確実に手振りを防ぐための練習を行うこともできる。
【００５７】
以上、本発明の各実施の形態を詳細に説明したが、本発明のゴルフ練習具およびそのセットは、上記各実施の形態に限定されない。例えば、突起は、いずれかの棒と一体的に取り付けてもよい。また、着脱可能に棒を連結可能であれば、他の手段を、単独あるいは突起や磁石とともに、連結部材として用いてもよい。
【００５８】
さらに、棒は三本以上あってもよい。ただし、棒が多数あると、製造しにくくなるのみならず、手首の動きとは別の原因で連結が解除される虞があるため、通常は一対の棒とする。
【産業上の利用可能性】
【００５９】
本発明は、手振りを防ぐゴルフスイングの練習に用いることができる。
【符号の説明】
【００６０】
１    ゴルフ練習具
２    棒
３    突起
３ａ  刻み
４    突起
４ａ  刻み
５    磁石
５ａ  突起挿通孔
６    突起挿入孔
６ａ  刻み
７    突起挿入孔
７ａ  刻み
８    突起
９    棒
１０  突起挿入孔
１１  突起挿入孔
２０  ゴルフ練習具
２１  突起
２２  傾斜
２３  目印
２４  突起
２５  突起
２６  突起
２７  突起
３０  ゴルフ練習具
３１  棒
３２  棒
３３  突起挿入孔
３４  突起挿入孔
４０  ゴルフ練習具
５０  ゴルフ練習具
Ｄ    長さ
ｃ    隙間
【図１】
2013158474.tif 000003
【図２】
2013158474.tif 000004
【図３】
2013158474.tif 000005
【図４】
2013158474.tif 000006
【図５】
2013158474.tif 000007
【図６】
2013158474.tif 000008
【図７】
2013158474.tif 000009
【図８】
2013158474.tif 000010
【図９】
2013158474.tif 000011
【図１０】
2013158474.tif 000012
【図１１】
2013158474.tif 000013
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
複数のグリップ用の棒と、これらを着脱可能に連結する連結部材とを有し、前記棒が前記連結部材により連結された長さがゴルフクラブのグリップ部に相当し、かつ連結力が異なる複数の前記連結部材を備えることを特徴とするゴルフ練習具。
【請求項２】
前記棒の両端に孔が形成され、前記孔に挿入することにより前記棒を着脱可能に連結する前記連結部材としての突起を備え、かつ前記孔は前記棒の一端と他端とで異なる深さおよび粗さの少なくともいずれかに形成される請求項１に記載のゴルフ練習具。
【請求項３】
重さが異なる複数の請求項１または２に記載のゴルフ練習具を備えることを特徴とするゴルフ練習具セット。
【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
複数のグリップ用の棒と、これらを着脱可能に連結する連結部材とを有し、前記棒が前記連結部材により連結された長さがゴルフクラブのグリップ部に相当し、かつ連結力が異なる複数の前記連結部材を備えることを特徴とするゴルフ練習具。
【請求項２】
前記棒の両端に孔が形成され、前記孔に挿入することにより前記棒を着脱可能に連結する前記連結部材としての突起を備え、かつ前記孔は、前記棒の一端と他端とで異なる深さおよび異なる内面の粗さの、少なくともいずれかに形成される請求項１に記載のゴルフ練習具。
【請求項３】
重さが異なる複数の請求項１または２に記載のゴルフ練習具を備えることを特徴とするゴルフ練習具セット。